(57)【要約】【課題】外部記憶媒体に記憶されたデータを退避させて空き容量を確保した場合の退避させたデータの取得に係る利用者の負担を軽減する手段を提供する。【解決手段】制御部は、前記通信手段と前記消去手段と前記出力手段とを用いて、前記外部記憶媒体の空き容量が所定の容量より少ない場合、前記外部記憶媒体から消去した少なくとも１つのファイルに対応する前記外部装置の記憶先に関連付けられた情報を出力させることを特徴とする画像読取装置。【選択図】        図１
2019176286.tif 000002
【特許請求の範囲】
【請求項１】
画像読取装置において、
原稿を読み取って画像データを取得する画像読取部と、
接続された外部記憶媒体からファイルを読み取り、通信回線を介して外部装置に送信可能な通信手段と、
１以上のファイルを前記外部記憶媒体から消去する消去手段と、
少なくとも１つのファイルに対応する前記外部装置の記憶先に関連付けられた情報を出力する出力手段と、
前記画像読取部で取得した画像データを前記外部記憶媒体に記憶させる制御部と、
を備え、
前記制御部は、前記通信手段と前記消去手段と前記出力手段とを用いて、前記外部記憶媒体の空き容量が所定の容量より少ない場合、前記外部記憶媒体から消去した少なくとも１つのファイルに対応する前記外部装置の記憶先に関連付けられた情報を出力させることを特徴とする画像読取装置。
【請求項２】
請求項１に記載の画像読取装置において、
前記制御部は、前記外部記憶媒体から消去した少なくとも１つのファイルに対応する前記外部装置の記憶先に関連付けられた情報の出力を前記外部記憶媒体に記憶させることを特徴とする画像読取装置。
【請求項３】
請求項２に記載の画像読取装置において、
前記制御部は、前記記憶先に記憶されたファイルの情報と、前記記憶先を参照する参照手段と、
を前記外部記憶媒体に記憶させることを特徴とする画像読取装置。
【請求項４】
請求項１から請求項３のいずれか１項に記載の画像読取装置において、
前記制御部は、前記外部記憶媒体から消去した少なくとも１つのファイルに対応する前記外部装置の記憶先に関連付けられた情報の出力を表示部で行わせることを特徴とする画像読取装置。
【請求項５】
請求項４に記載の画像読取装置において、
前記画像読取部における最大積載枚数と読取条件にもとづいて想定される画像データの容量を想定容量として記憶した記憶部と、
を備え、
前記制御部は、前記通信手段と前記消去手段と前記出力手段とを用いて、前記外部記憶媒体の空き容量が前記想定容量より少ない場合、前記外部記憶媒体から選択条件にしたがってファイルを選択し、前記ファイルを記憶部に記憶させた後、前記外部記憶媒体の空き容量が所定の容量より少ない場合、前記外部記憶媒体から消去した少なくとも１つのファイルに対応する前記外部装置の記憶先に関連付けられた情報を出力させることを特徴とする画像読取装置。
【請求項６】
請求項５に記載の画像読取装置において、
前記所定の容量は、前記画像読取部で原稿を読み取る毎に取得される画像データの容量を積算した積算容量であり、前記外部記憶媒体の空き容量が前記積算容量より少ない場合、前記外部記憶媒体から前記選択条件にしたがって消去した少なくとも１つのファイルに対応する前記外部装置の記憶先に関連付けられた情報を出力させることを特徴とする画像読取装置。
【請求項７】
請求項６に記載の画像読取装置において、
前記選択条件は、容量の大きいファイルを優先して選択する条件であることを特徴とする画像読取装置。
【請求項８】
請求項６に記載の画像読取装置において、
前記選択条件は、ファイルの生成日時またはファイルの更新日時が遅いファイルを優先して選択する条件であることを特徴とする画像読取装置。
【請求項９】
請求項１から請求項８のいずれか１項に記載の画像読取装置を有することを特徴とする画像形成装置。
【発明の詳細な説明】
【技術分野】
【０００１】
本発明は、原稿から読み取った画像データを外部記憶媒体に記憶させる画像読取装置に関する。
【背景技術】
【０００２】
従来の画像読取装置は、原稿から読み取った画像データを記憶させる外部記憶媒体の空き容量が不足している場合、原稿の画像データの画質を低下させて画像データの容量を小さくすることにより、外部記憶媒体の空き容量を確保して、すべての原稿の画像データを外部記憶媒体に記憶させるようにしている（例えば、特許文献１参照）。
【先行技術文献】
【特許文献】
【０００３】
【特許文献１】特開２０１０−１０９９４４号公報
【発明の概要】
【発明が解決しようとする課題】
【０００４】
しかしながら、従来の技術においては、外部記憶媒体に記憶されたデータを退避させて空き容量を確保した後、利用者が退避先を探し出してデータを取得する場合、利用者の負担が増大するという問題がある。
本発明は、このような問題を解決することを課題とし、退避させたデータを取得する場合の利用者の負担を軽減することを目的とする。
【課題を解決するための手段】
【０００５】
そのため、本発明は、画像読取装置において、原稿を読み取って画像データを取得する画像読取部と、接続された外部記憶媒体からファイルを読み取り、通信回線を介して外部装置に送信可能な通信手段と、１以上のファイルを前記外部記憶媒体から消去する消去手段と、少なくとも１つのファイルに対応する前記外部装置の記憶先に関連付けられた情報を出力する出力手段と、前記画像読取部で取得した画像データを前記外部記憶媒体に記憶させる制御部と、を備え、前記制御部は、前記通信手段と前記消去手段と前記出力手段とを用いて、前記外部記憶媒体の空き容量が所定の容量より少ない場合、前記外部記憶媒体から消去した少なくとも１つのファイルに対応する前記外部装置の記憶先に関連付けられた情報を出力させることを特徴とする画像読取装置。
【発明の効果】
【０００６】
このようにした本発明は、退避させたデータを取得する場合の利用者の負担を軽減することができるという効果が得られる。
【図面の簡単な説明】
【０００７】
【図１】実施例における画像読取システムの構成を示すブロック図
【図２】実施例における画像読取装置の制御構成を示すブロック図
【図３】実施例における想定容量の説明図
【図４】実施例におけるＵＳＢメモリに記憶されるＰＤＦファイルの説明図
【図５】実施例における画像読取装置の制御部によるファイル操作の説明図
【図６】実施例における画像読取処理の流れを示すフローチャート
【図７】実施例における不要ファイルの消去を促す場合の表示例を示す説明図
【図８】実施例における退避先の情報の表示例を示す説明図
【図９】実施例における退避ファイルの記憶先の参照を促す表示例を示す説明図
【図１０】実施例における退避ファイルを取得する流れについての説明図
【発明を実施するための形態】
【０００８】
以下、図面を参照して本発明による画像読取装置の実施例を説明する。
【実施例】
【０００９】
図１は実施例における画像読取システムの構成を示すブロック図である。
【００１０】
図１において、画像読取システム１は、サーバ１０１と、画像読取装置１０２と、複数のパーソナルコンピュータ１０３とにより構成されている。サーバ１０１と、画像読取装置１０２と、複数のパーソナルコンピュータ１０３とは通信回線としてのＬＡＮ（Ｌｏｃａｌ  Ａｒｅａ  Ｎｅｔｗｏｒｋ）を介して通信可能に接続されている。
【００１１】
外部装置としてのサーバ１０１は、ＬＡＮを介して接続された画像読取装置１０２やパーソナルコンピュータ１０３との間で画像データ等の送受信を行うものであり、例えば画像読取装置１０２で読み取って取得した画像データを記憶するものである。
画像読取装置１０２は、例えばスキャナ、プリンタを有する画像形成装置としての複合機に備えられたものであり、スキャナで読み取った画像データを外部記憶媒体に記憶させる手段、スキャナで読み取った画像データを電子メールで送信する手段を有している。
また、画像読取装置１０２は、画像読取装置１０２に接続された外部記憶媒体に記憶されているファイルを読み取り、通信回線を介して接続された外部装置に送信可能な通信手段を有する。
【００１２】
パーソナルコンピュータ１０３は、画像読取装置１０２を制御する制御ソフトウェアがインストールされており、例えばスキャナ機能で読み取った画像データをパーソナルコンピュータ１０３に送信させることができる。
【００１３】
図２は実施例における画像読取装置の制御構成を示すブロック図である。
【００１４】
図２において、画像読取装置１０２は、表示部２０１と、制御部２０２と、記憶部２０３と、プリンタ通信制御部２０４と、プリンタ２０５と、画像読取部２０６と、ＦＢ（Ｆｌａｔ  Ｂｅｄ）制御部２０７と、ＡＤＦ（Ａｕｔｏ  Ｄｏｃｕｍｅｎｔ  Ｆｅｅｄｅｒ）制御部２０８と、ＵＳＢＩ／Ｆ制御部２０９と、ＵＳＢ（Ｕｎｉｖｅｒｓａｌ  Ｓｅｒｉａｌ  Ｂｕｓ）メモリ２１０とを有している。
【００１５】
制御部２０２は、中央処理装置としてのＣＰＵ（Ｃｅｎｔｒａｌ  Ｐｒｏｃｅｓｓｉｎｇ  Ｕｎｉｔ）、ワーキングメモリとしてのＲＡＭ（Ｒａｎｄｏｍ  Ａｃｃｅｓｓ  Ｍｅｍｏｒｙ）、制御プログラムが記憶された不揮発性メモリ等の制御手段を備え、制御プログラム（ソフトウェア）に基づいて画像読取装置１０２全体の動作を制御する。
また、制御部２０２は、画像読取部２０６で読み取った画像データを外部記憶媒体としてのＵＳＢメモリに記憶させるとともに画像読取装置１０２に装着されたＵＳＢメモリの空き容量を検出する。
【００１６】
表示部２０１は、操作者の入力操作を受け付けるキーやボタン、液晶タッチパネル等を有する操作機能と、複合機の状態や入力操作を誘導する各種情報を表示するディスプレイ等の表示機能とを有するものである。
記憶部２０３は、制御部２０２と接続されており、各種情報の授受を行うことができるとともに、各種情報を記憶することができるものである。
記憶部２０３に記憶されている情報は、例えば図３に示す想定容量である。
【００１７】
想定容量は、ＵＳＢメモリ２０１に必要な空き容量を、原稿の読取条件と読み取り方法にもとづいて想定することで、原稿の読み取り動作が開始される前にＵＳＢメモリ２０１の空き容量が不足しているか否かを判定するために設けられたものである。
図３（ａ）はＦＢ読取での想定容量、図３（ｂ）はＡＤＦ読取での想定容量である。
【００１８】
ＦＢ読取での想定容量は、利用者によって原稿の読み取り動作が開始される前に設定された原稿の読取条件（例えば原稿サイズ、カラー／モノクロ、解像度、両面／片面、ファイル形式等）にもとづいて想定される。
ＡＤＦ読取での想定容量は、原稿の読取条件とＡＤＦに置くことができる原稿の最大枚数である最大積載枚数（本実施例では、５０枚）とにもとづいて想定される。
また、ＡＤＦ読取での想定容量は、例え最大積載枚数より少ない枚数の原稿がＡＤＦに置かれた場合でも、最大搭載枚数と原稿の読取条件とにもとづいて想定される。
【００１９】
これは、原稿の読み取り動作中に、ＵＳＢメモリ２０１の空き容量が不足するのを防ぐためである。
なお、本実施例では、図３に示すように、用紙サイズをＡ４またはＡ３、ファイル形式をＰＤＦとしたが、異なる用紙サイズおよびファイル形式での想定容量についても記憶部２０３に記憶されているものとする。
【００２０】
プリンタ通信制御部２０４は、画像読取装置１０２とプリンタ２０５とを接続するプリンタ通信を制御するものである。
画像読取部２０６は、例えばＣＣＤ（Ｃｈａｒｇｅ  ｃｏｕｐｌｅｄ  ｄｅｖｉｃｅｓ）やＣＩＳ（Ｃｏｎｔａｃｔ  Ｉｍａｇｅ  Ｓｅｎｓｏｒ）等の画像読取センサを有しており、主走査方向に配列された画像読取センサで原稿の画像データを読み取って取得するものである。
【００２１】
ＦＢ制御部２０７は、モータ等の駆動源の動力により、画像読取部２０６をＦＢに沿って副走査方向に移動させることで原稿の画像データを読み取るものである。
ＡＤＦ制御部２０８は、モータ等の駆動源の動力により、画像読取部２０６をＦＢに沿った副走査方向の任意の位置に移動させることで、複数枚の原稿の画像データを連続して読み取るものである。
【００２２】
ＵＳＢ  Ｉ／Ｆ制御部２０９は、画像読取装置１０２に装着されたＵＳＢメモリ２０１と画像読取装置１０２との通信を制御するものである。
このように構成された画像読取装置１０２の制御部２０２は、表示部２０１から原稿の読み取り開始命令を受け取ると、画像読取装置１０２のＦＢまたはＡＤＦに置かれた原稿を画像センサで読み取って画像データを取得し、ＵＳＢメモリ２０１に記憶させる。
【００２３】
本実施例では、画像読取部２０６で読み取った画像データは、ＵＳＢメモリ２０１にＰＤＦファイル５００として記憶される。図４は実施例におけるＵＳＢメモリに記憶されるＰＤＦファイルの説明図である。
図４において、ＰＤＦファイル５００は、１頁目の画像データにヘッダー情報５０１が追加され、最終頁の画像データにフッター情報５０２が追加されて生成される。
【００２４】
図５は実施例における画像読取装置の制御部によるファイル操作の説明図である。
【００２５】
図５（ａ）はＵＳＢメモリの容量であり、原稿の読み取り開始時において既にＦＩＬＥ○○○〜ＦＩＬＥ□□□まで使用されており、それ以外は空き容量となっている。
図５（ｂ）は想定容量である。画像読取装置１０２の制御部２０２は、ＵＳＢメモリ２０１の空き容量を検出し、想定容量とＵＳＢメモリ２０１の空き容量とを比較し、空き容量が不足している場合、ユーザの設定した選択条件にしたがって、選択ファイルとしてのファイルを、ＵＳＢメモリ２０１に記憶されたＦＩＬＥ○○○〜ＦＩＬＥ□□□までのファイルから選び、記憶部２０３に記憶させる。
【００２６】
図５（ｃ）は選択ファイルの容量であり、ＵＳＢメモリに記憶されたＦＩＬＥ○○○〜ＦＩＬＥ□□□までのファイルのうちＦＩＬＥ△△△〜ＦＩＬＥ×××までのファイルが選択ファイルとして選ばれたことを示している。
本実施例では、制御部２０２は、ＵＳＢメモリ２０１の空き容量と、画像読取部２０６においてすべての原稿を読み取るまで原稿１頁毎に取得される画像データを積算した積算容量とを比較し、空き容量が不足している場合、１以上のファイルをＵＳＢメモリ２０１から消去する消去手段を有している。
【００２７】
なお、制御部２０２は、消去されたファイルがある場合、消去されたファイルを退避ファイルとしてサーバ１０１に記憶させる。
また、制御部２０２は、少なくとも１つの退避ファイルに対応する記憶先に関連付けられた情報を出力する出力手段を有している。
【００２８】
図５（ｄ）は退避ファイルの容量である。ＦＩＬＥ△△△〜ＦＩＬＥ×××までのファイルからＦＩＬＥ○□△とＦＩＬＥ△×□が消去され、退避ファイルとしてサーバ１０１に記憶された。
【００２９】
上述した構成の作用について説明する。
【００３０】
画像読取装置１０２が行う原稿の画像データをＵＳＢメモリ２０１に記憶させる処理を図６の実施例における画像読取処理の流れを示すフローチャートの図中Ｓで表すステップに従って説明する。
【００３１】
Ｓ１:ユーザは、ＡＤＦに複数枚の原稿を置き、ＵＳＢメモリ２０１を画像読取装置１０２に装着する。制御部２０２は、画像読取装置１０２に装着されたＵＳＢメモリ２０１の空き容量を検出する。
【００３２】
Ｓ２:制御部２０２は、ユーザによる原稿の読み取りを開始する操作を表示部２０１で受け付けると、最大積載容量と読取条件にもとづいて想定される想定容量を参照する。
【００３３】
Ｓ３:制御部２０２は、想定容量（図５中（ｂ））とＵＳＢメモリ２０１の空き容量（図５中（ａ））とを比較して、想定容量がＵＳＢメモリ２０１の空き容量より大きく、空き容量が不足していると判定するとＳ４に移行し、想定容量がＵＳＢメモリ２０１の空き容量より小さく、空き容量が不足していないと判定するとＳ５に移行する。
【００３４】
Ｓ４:制御部２０２は、ユーザの設定した選択条件にしたがって、選択ファイル（図５中（ｃ））としてのファイルを、ＵＳＢメモリ２０１に記憶されたファイルから選び、記憶部２０３に記憶させる。
【００３５】
なお、ここでは選択ファイルが記憶部２０３に記憶されるだけで、ＵＳＢメモリ２０１に記憶されたファイルは消去されない。
なお、選択条件は、ファイル容量の大きいものから優先して選択する条件（例えば、画像ファイルを優先的に選択する条件）、ファイルの更新またはファイルの作成日時にもとづいて選択する条件（例えば、ファイルの更新日時が遅いファイルを優先的に選択する条件）等を設定することができる。
【００３６】
Ｓ５:画像読取部２０６は、ＡＤＦに置かれた原稿から１枚の原稿を読み取って画像データを取得する。
【００３７】
Ｓ６:制御部２０２は、原稿１頁毎に取得される画像データの積算容量とＵＳＢメモリ２０１の空き容量（図５中（ａ））とを比較し、画像データの積算容量がＵＳＢメモリ２０１の空き容量より大きく、空き容量が不足している（（画像データの積算容量）＞（ＵＳＢメモリの空き容量））と判定するとＳ７に移行し、
画像データの積算容量がＵＳＢメモリ２０１の空き容量がより小さく、空き容量が不足していない（（画像データの積算容量）＜（ＵＳＢメモリの空き容量））と判定するとＳ８に移行する。
【００３８】
なお、ＵＳＢメモリ２０１の空き容量は、（ＵＳＢメモリの空き容量）＝（ＵＳＢメモリの総容量）−（ＵＳＢメモリの総使用容量）から求めてもよい。
【００３９】
Ｓ７:制御部２０２は、ユーザの設定した選択条件にしたがって、選択ファイル（図５中（ｃ））から１以上のファイルを消去して、ＵＳＢメモリ２０１の空き容量を確保することで画像データをＵＳＢメモリ２０１に記憶させる。
【００４０】
例えば、消去される１以上のファイルは、ＵＳＢメモリ２０１から未消去のファイルでＳ４で選択された優先順位の高いファイルから順にファイル容量を積算していき、消去されるファイルの積算容量を求めて、
（Ｓ６で比較した原稿１頁毎に取得される画像データの積算容量）＜（ＵＳＢメモリの空き容量）＋（優先度の高いＮ個の消去されるファイルの積算容量）
となったときの優先度の高いＮ個のファイルを消去対象としてＵＳＢメモリ２０１から消去する。なお、消去対象となったファイルのリストは、後述するＳ１０で使用する消去されたファイルのリストとして使用するために保管してもよい。
【００４１】
また、本ステップにおける選択条件をＳ４における選択条件と異なるものにしてもよい。
【００４２】
Ｓ８:原稿を読み取って取得した画像データをＵＳＢメモリ２０１に記憶させる。
【００４３】
１枚目の原稿の画像データの場合、図３に示すように、画像データにヘッダー情報５０１が追加されてＵＳＢメモリ２０１に記憶される。
【００４４】
Ｓ９:すべての原稿の画像データをＵＳＢメモリ２０１に記憶させるとＳ１０へ移行し、すべての原稿の読み取りを完了していない場合はＳ５へ移行する。
【００４５】
最終頁の原稿の画像データは、図３に示すように、画像データにフッター情報５０２が追加されてＵＳＢメモリ２０１に記憶される。
【００４６】
Ｓ１０:制御部２０２は、選択ファイルから消去されたファイルの有無を判定し、消去されたファイルがあると判定するとＳ１１に移行し、消去されたファイルがないと判定するとＳ１４に移行する。
【００４７】
Ｓ１１:制御部２０２は、ＵＳＢメモリ２０１の空き容量を検出し、ＵＳＢメモリ２０１の空き容量とＳ２における想定容量とを比較して、ＵＳＢメモリ２０１の空き容量があると判定すると本処理を終了し、空き容量が不足していると判定するとＳ１３に移行する。
【００４８】
Ｓ１３:制御部２０２は、図７に示すように、ＵＳＢメモリに記憶されている不要ファイルの消去を促す文言を表示部２０１に表示させる。
【００４９】
なお、このときにＵＳＢメモリ２０１の空き容量を表示部２０１に表示させるようにしてもよい。
【００５０】
Ｓ１４:制御部２０２は、消去された選択ファイルを退避ファイル（図５中（ｄ））としてサーバ１０１に記憶させる。
【００５１】
Ｓ１５:制御部２０２は、退避ファイルの記憶先を記憶させたファイルを作成し、ＵＳＢメモリ２０１に記憶させる。
【００５２】
なお、退避ファイルの記憶先を記憶したファイルは、例えばＰＤＦ、ＷＯＲＤ、ＥＸＣＥＬ等の形式で作成されたファイルである。
なお、退避ファイルの記憶先を記憶したファイルには、図８に示すように、ＵＳＢメモリ２０１の容量が不足したためＵＳＢメモリ２０１内の一部ファイルを退避させたことを知らせる文言と、退避ファイルの情報としての退避ファイルの保存元、退避ファイル名、退避ファイルの容量と、退避ファイルの記憶先を参照する参照手段としての退避ファイルのアドレスリンクとが含まれている。
【００５３】
Ｓ１６: 制御部２０２は、図９に示すように、退避ファイルの記憶先の参照を促す文言を表示部２０１に表示させる。
【００５４】
次に、サーバ１０１に記憶された退避ファイルの取得方法について説明する。
【００５５】
図１０は実施例におけるサーバに記憶された退避ファイルの取得方法の説明図である。
【００５６】
矢印Ａは、画像読取装置１０２からサーバ１０１に退避ファイルが記憶されたことを示している。
利用者は、ＵＳＢメモリ２０１をパーソナルコンピュータ１０３に装着する。
利用者は、矢印Ｂが示すように、ＬＡＮを介してサーバ１０１と接続されたパーソナルコンピュータ１０３で、ＵＳＢメモリ２０１に記憶されている退避ファイルの記憶先を参照して、退避ファイルを取得する。
【００５７】
本実施例では、退避ファイルの記憶先を参照して、退避ファイルを取得できるようにしたことにより、利用者は容易に、退避ファイルの記憶先を見つけ出し、退避ファイルを取得することができる。
【００５８】
以上説明したように、本実施例では、ＵＳＢメモリ２０１の空き容量が不足しており、サーバ１０１に退避ファイルを退避させた場合、ＵＳＢメモリ２０１に退避ファイルの記憶先を示したファイルを記憶させ、画像読取装置１０２の表示部２０１に退避ファイルの記憶先の参照を促す文言を表示することにより、利用者は容易に、退避ファイルの記憶先を見つけ出し、退避ファイルを取得することができ、利用者の負担を軽減することができるという効果が得られる。
【００５９】
また、ＵＳＢメモリ２０１の空き容量が不足している場合、ユーザの設定条件にしたがって、ＵＳＢメモリ２０１からファイルを消去して、原稿の読み取り動作を続けることで、すべての原稿の画像データを中断することなくＵＳＢメモリ２０１に記憶させることができるという効果が得られる。
なお、本実施例では、スキャナおよびプリンタを備えた画像形成装置としての複合機に画像読取装置１０２が備えられているとして説明したが、それに限られることなく、画像形成装置としてＭＦＰ（Ｍｕｌｔｉ  Ｆｕｎｃｔｉｏｎ  Ｐｒｉｎｔｅｒ）に画像読取装置１０２が備えられたもの、画像読取装置１０２としてスキャナ装置等としてもよい。
【符号の説明】
【００６０】
１      画像読取システム
１０１  サーバ
１０２  画像読取装置
１０３  パーソナルコンピュータ
２０１  表示部
２０２  制御部
２０３  記憶部
２０４  プリンタ通信制御部
２０５  プリンタ
２０６  画像読取部
２０７  ＦＢ制御部
２０８  ＡＤＦ制御部
２０９  ＵＳＢＩ／Ｆ制御部
２１０  ＵＳＢメモリ
５００  ＰＤＦファイル
５０１  ヘッダー情報
５０２  フッター情報
【図１】
2019176286.tif 000003
【図２】
2019176286.tif 000004
【図３】
2019176286.tif 000005
【図４】
2019176286.tif 000006
【図５】
2019176286.tif 000007
【図６】
2019176286.tif 000008
【図７】
2019176286.tif 000009
【図８】
2019176286.tif 000010
【図９】
2019176286.tif 000011
【図１０】
2019176286.tif 000012